(57)【要約】      （修正有）【課題】ミラー扉におけるミラー面積を十分に確保しながら、ミラー扉の前に立った人の顔や手元部分を明るく照らすミラーキャビネットを提供する。【解決手段】隣合うミラー扉２，３の奥側に収納空間４，５をそれぞれ設けたミラーキャビネットであり、隣合うミラー扉２，３の間の隙間に臨んだ部位に縦長状の導光性材料１０を配置する。導光性材料の奥側の端面を光源からの光が入射する光入射面とし、導光性材料１０の両側面を光反射面とし、光入射面と対向する、導光性材料１０の前側の端面を、隣合うミラー扉２，３の間の隙間に臨ませて配置して、光入射面から入射した光を帯状照明光Ｒとして隣合うミラー扉２，３の間から前方に向かって出射する光出射面とする。【選択図】図４
2014140756.tif 000002
【特許請求の範囲】
【請求項１】
隣合うミラー扉の奥側に収納空間をそれぞれ設けたミラーキャビネットであって、隣合うミラー扉の間の隙間に臨んだ部位に縦長状の導光性材料を配置し、導光性材料の奥側の端面を光源からの光が入射する光入射面とし、導光性材料の両側面を光反射面とし、光入射面と対向する、導光性材料の前側の端面を、隣合うミラー扉の間の隙間に臨ませて配置して、光入射面から入射した光を帯状照明光として隣合うミラー扉の間から前方に向かって出射する光出射面としてなることを特徴とするミラーキャビネット。
【請求項２】
前記導光性材料は導光板であることを特徴とする請求項１に記載のミラーキャビネット。
【発明の詳細な説明】
【技術分野】
【０００１】
本発明は、照明機能を備えたミラーキャビネットに関するものである。
【背景技術】
【０００２】
従来、洗面化粧台のミラーキャビネットに照明器具を取り付けるにあたり、三面鏡の上側部位、或いは三面鏡のミラー扉間の隙間に、蛍光灯や白熱灯を固定して、洗面台の前面全体を照らすようにした構造が一般的である（例えば、特許文献１参照）。
【０００３】
ところが、蛍光灯等を三面鏡の上方に固定した場合は、洗面台の前面全体を照らすためには、三面鏡の上方から大型の照明カバーを前方向に向かって大きく張り出すように設置する必要があるため、三面鏡におけるミラー面積が大きく制約されるという課題がある。一方、蛍光灯等を三面鏡のミラー扉間の隙間に固定する場合は、蛍光灯を収納するためには横幅が約１００ｍｍ程度の照明灯用スペースを設ける必要があり、このためミラー扉におけるミラー面積が大きく制約されるという課題がある。
【先行技術文献】
【特許文献】
【０００４】
【特許文献１】特開２００１−７８９０９号公報
【発明の概要】
【発明が解決しようとする課題】
【０００５】
本発明は上記の事情に鑑みてなされたものであって、その目的とするところは、ミラー扉におけるミラー面積を十分に確保しながら、ミラー扉の前に立った人の顔や手元部分を明るく照らすことができるミラーキャビネットを提供することにある。
【課題を解決するための手段】
【０００６】
前記の課題を解決するために、本発明は、以下の構成を特徴としている。
【０００７】
隣合うミラー扉２，３の奥側に収納空間４，５をそれぞれ設けたミラーキャビネットであって、隣合うミラー扉２，３の間の隙間Ｓに臨んだ部位に縦長状の導光性材料を配置し、導光性材料の奥側の端面１０ａを光源１５からの光が入射する光入射面１３とし、導光性材料の両側面を光反射面６０ｃ、６０とし、光入射面１３と対向する、導光性材料の前側の端面１０ｂを、隣合うミラー扉２，３の間の隙間Ｓに臨ませて配置して、光入射面１３から入射した光を帯状照明光Ｒとして隣合うミラー扉２，３の間から前方に向かって出射する光出射面１４としてなることを特徴としている。
【０００８】
また本発明において、前記導光性材料は導光板であることが好ましい。
【発明の効果】
【０００９】
本発明に係るミラーキャビネットは、隣合うミラー扉の間の隙間に臨んだ部位に縦長状の導光性材料を配置し、導光性材料の光出射面を隣合うミラー扉間の隙間に臨ませたことにより、導光性材料の光出射面から発光する帯状照明光を隣合うミラー扉間の隙間を通して前方に照射できるものであり、これにより、導光性材料をコンパクトに且つ納まりよく仕込むことができると共に、隣合うミラー扉間に帯状照明光が通過し得る幅狭の隙間を確保すればよいので、従来の蛍光灯用の幅広の照明灯用スペースを設ける場合と異なり、ミラー扉におけるミラー面積が大きく制約されることもない。結果、ミラー扉におけるミラー面積を十分に確保しながら、帯状照明光によってミラー扉の前に立った人の顔や手元部分を明るく照らすことができるものである。
【図面の簡単な説明】
【００１０】
【図１】本発明の一実施形態に用いるミラーキャビネットの導光板付き縦板と天板との分解斜視図である。
【図２】（ａ）は同上の導光板付き縦板の側面図であり、（ｂ）は導光板と光源の平面図である。
【図３】同上のミラーキャビネットを備える洗面化粧台の斜視図である。
【図４】（ａ）は同上のミラーキャビネットの斜視図であり、（ｂ）はミラー扉側の一部平面図である。
【図５】図４（ｂ）のＥ部の拡大図である。
【図６】図４（ｂ）のＦ部の拡大図であり、（ａ）は隣合うミラー扉をそれぞれ閉じた状態の説明図であり、（ｂ）は中央のミラー扉を開いた状態の説明図である。
【発明を実施するための形態】
【００１１】
以下、本発明を添付図面に示す実施形態に基いて説明する。
【００１２】
図３は本実施形態の洗面化粧台に用いるミラーキャビネット１の一例を示している。
【００１３】
洗面台２０の上方に配置されるミラーキャビネット１の前面には、中央のミラー扉２と両サイドのミラー扉３，３とを有する三面鏡が配設されている。
【００１４】
ミラーキャビネット１は、図４に示すように、天板２１と両側板２２と背板（図示せず）と底板２３とで囲まれた空間部を有すると共に、この空間部が縦方向Ｄに配置される２枚の縦板６を用いて、中央のミラー扉２で開閉される中央の収納空間４と、両サイドのミラー扉３，３でそれぞれ開閉される両サイドの収納空間５，５とに仕切られている。各ミラー扉２，３は、例えば図６に示すようにベースパネル１６の表面にミラーパネル１７を止着し、その外周部に縦サッシ１８を嵌め込んだものである。
【００１５】
中央のミラー扉２の基端部２ａは、図４（ｂ）に示すように、左側の縦板６の側面部に設けたスライド丁番２４に連結され、このミラー扉２の先端部２ｂは右側の縦板６の前端面７に設けた一方の扉受け面８（図１参照）で受けられる。スライド丁番２４は、例えば図６（ａ）（ｂ）に示すように、ミラー扉２を広角度で開放可能とするための展伸・折り畳み可能な平行リンクプレート２５を備えたものであり、このスライド丁番２４によりミラー扉２の基端部２ａは後述する導光板１０とは干渉しない位置で回動可能とされる。なお、スライド丁番２４の具体的構造については、本出願人が既に開示している特開２００３−１８９９５０号公報等により公知となっている技術を採用できる。
【００１６】
左側サイドのミラー扉３の基端部３ａは左側の側板２２の側面部に設けた開閉丁番（図示せず）に連結され、先端部３ｂは左側の縦板６の前端面７に設けた扉受け面８（図１）で受けられる。
【００１７】
右側サイドのミラー扉３の基端部３ａは右側の側板２２の側面部に設けた開閉丁番（図示せず）に連結され、先端部３ｂは右側の縦板６の前端面７に設けた扉受け面９（図１）で受けられる。
【００１８】
本例では、左右の縦板６，６は、前端面７の幅方向Ａ両側がそれぞれ扉受け面８，９（図５）となったものと、幅方向Ａ片側のみが扉受け面９となり、幅方向Ａ他側が丁番取り付け面３０（図６）となったものとに分けているが、縦板６の内部に前方Ｂに開口した収納凹所１１を備える構成においては共通している。
【００１９】
左右の縦板６は、それぞれ、断面コ字状のアルミ押出成形材により一体に形成されている。図１に示すように、左右のアルミ押出成形部６ａ，６ａ間から前方Ｂに向かって縦長状に前面開口部１２が開口している。なお図１中の２６はアルミ押出成形部６ａと天板２１とを連結金具（図示せず）を用いて連結するためのダボ穴であり、２７は収納凹所１１の両内壁面からそれぞれ突出して導光板１０のがたつきを防止する凸部であり、図１及び図２中の２８、２９は、収納凹所１１の上下両端部をそれぞれ閉鎖する板材である。
【００２０】
上記縦板６の収納凹所１１内には、図1及び図２に示すように、導光板１０が縦向き姿勢で収納される。導光板１０は、例えばアクリル樹脂、ポリカーボネート樹脂等の透光性材料からなり、縦方向Ｄに長い矩形状に形成されている。導光板１０の奥側の端面１０ａには光源１５からの光を取り入れる光入射面１３が設けられ、前側の端面１０ｂには該光入射面１３から入射した光源１５からの光を帯状照明光Ｒとして出射させる光出射面１４が設けられ、これら光入射面１３と光出射面１４以外の他の上下両端面及び両側面はそれぞれ光反射面６０ａ、６０ｂ、６０ｃ、６０ｄとなっている。光反射面６０の形成方法として、例えば外面にアルミ蒸着などの反射処理を施すか、或いは散乱反射面を形成する等の方法がある。
【００２１】
導光板１０の光出射面１４は、縦板６の前面開口部１２から隣合うミラー扉２，３間の隙間Ｓに臨ませて配置される。本例では、光出射面１４は、縦板６の前面開口部１２から隣合うミラー扉２，３とは干渉しない前方Ｂ位置に向かって、扉受け面８，９よりも所定寸法だけ突出している。その突出寸法は、意匠性を配慮して図５に示すように、閉状態にあるミラー扉２，３のミラーパネル１７と光出射面１４とが略面一となるように設定するのが望ましい。勿論、光出射面１４は前面開口部１２よりも前方Ｂに向かって突出させる場合に限らず、少なくとも光出射面１４から発する帯状照明光Ｒがミラー扉２，３間の隙間Ｓから前方Ｂに向かって照射されるようにすればよいものである。
【００２２】
導光板１０の光入射面１３に対向して光源１５が配置される。光源１５は図２に示すように、上下複数個のＬＥＤ（発光ダイオード）１５ａで構成される。各ＬＥＤ１５ａは、ＬＥＤ１５ａの光軸が導光板１０の光入射面１３に対して垂直方向に向くようにしてＬＥＤ基板１５ｂに実装されている。
【００２３】
しかして、上記構成によれば、ＬＥＤ１５ａの点灯時には、ＬＥＤ１５ａの光は図２（ａ）（ｂ）に示すように、導光板１０の光入射面１３から入射して、導光板１０の内部で光入射面１３から離れる程広がりながら、且つ上下両端面及び両側面の光反射面６０ａ〜６０ｄにより鏡面反射されながら光出射面１４に向かって進んでゆき、光出射面１４全面に亘ってほぼ一定光量となって出射される。これにより全体的に明るさにむらのない帯状照明光Ｒが隣合うミラー扉２，３間の隙間Ｓを通して前方Ｂに向けて照射されるようになり、これによりミラー扉２，３の前に居る人の顔や手元部分を十分に照らすことができる。
【００２４】
また、縦板６の前端面７の幅方向Ａ中央側に設けた前面開口部１２から導光板１０の光出射面１４を露出させたことにより、導光板１０とミラー扉２，３との干渉を防止しながら、隣合うミラー扉２，３間の隙間Ｓに導光板１０の光出射面１４を配置できるようになる。しかも本例では、導光板１０の光出射面１４をミラー扉２，３のミラーパネル１７と略面一状となるように突出配置しているので、ミラーパネル１７と光出射面１４とが段差のない連続した外観を呈するようになり、この状態でＬＥＤ１５ａを点灯させると隣合うミラーパネル１７間の隙間Ｓが帯状に光った状態となり、意匠性がより高まるようになる。
【００２５】
また隣合うミラー扉２，３間には、導光板１０の厚み分に相当する幅狭の隙間Ｓを設けるだけでよいので、従来の蛍光灯用の幅広の照明スペースを設ける場合と異なり、ミラー扉２，３におけるミラー面積が大きく制約されることがない。しかも、縦板６内部に、導光板１０をコンパクトでしかも納まりよく収納できるので、縦板６の厚み増加を防止でき、縦板６によって仕切られる収納空間４，５がそれぞれ狭まることもなくなる。
【００２６】
なお、光源１５として蛍光灯や白熱灯を用いた場合は、発熱して消費電力が大きく、寿命が短くて取り換えが必要となるという問題があるが、本例ではＬＥＤ１５ａを用いているのでかかる問題はなく、寿命が長く、低電力量で作動する小型で且つコンパクトな照明機能付き縦板６が得られる。
【００２７】
また、縦板６をアルミ押出成形材で形成することにより、導光板１０の強度が高められ、しかも強度を確保しながら、導光板１０を収納した縦板６全体の厚みを薄く抑えることができる。しかも金属製とすることで照明の放熱対策も兼ねるようになる。そのうえ押出成形により縦板６を縦方向Ｄにおいてどこで切断しても断面形状が一定形状となるので、キャビネットサイズに応じて所定長に切断して使用可能になる利点もある。
【００２８】
本実施形態のミラーキャビネット１は、隣合うミラー扉２，３の奥側に収納空間４，５をそれぞれ設け、縦方向Ｄに配置した縦板６によりミラー扉２，３それぞれの収納空間４，５を仕切るようにしたミラーキャビネットであって、上記縦板６の内部に、前方Ｂに開口した平面断面略コ字状の収納凹所１１を縦長状に凹設すると共に、収納凹所１１の前面開口部１２を縦板６の前端面７であって縦板６を挟んで隣合うミラー扉２，３間の隙間Ｓに臨んだ部位に縦長状に開設する。上記収納凹所１１内部に導光性材料からなる導光板１０を縦向き収納し、導光板１０の奥側の端面１０ａを光源１５からの光が入射する光入射面１３とし、導光板１０の両側面を光反射面６０ｃ、６０とし、導光板１０の奥側の端面１０ａと対向する前側の端面１０ｂを、上記前面開口部１２から隣合うミラー扉２，３の間の隙間Ｓに臨ませて配置して、光入射面１３から入射した光を帯状照明光Ｒとして隣合うミラー扉２，３の間から前方に向かって出射する光出射面１４としてなることを特徴としている。
【００２９】
このような構成とすることで、光源１５の点灯時には、縦板６内部に縦向き収納された導光板１０の光出射面１４からの帯状照明光Ｒが隣合うミラー扉２，３間の隙間Ｓを通して前方Ｂに照射するので、ミラー扉２，３の前に居る人の顔や手元部分を十分に照らすことができる。しかも収納空間４，５を仕切る縦板６の内部に、導光板１０をコンパクトに且つ納まりよく仕込むことができると共に、隣合うミラー扉２，３間には、光出射面１４からの帯状照明光Ｒが通過可能な幅狭の隙間Ｓを設けるだけでよいので、従来の蛍光灯を収納する幅広の照明スペースを設ける場合と異なり、ミラー扉２，３におけるミラー面積が大きく制約されることもなくなる。
【００３０】
すなわち、本実施形態のミラーキャビネット１は、縦板６内部に設けられる前方に開口した収納凹所１１内に、奥側の端面１０ａが光入射面１３をなし前側の端面１０ｂが光出射面１４をなす導光板１０を縦向き収納して、導光板１０の光出射面１４を収納凹所１１の前面開口部１２から縦板６を挟んで隣合うミラー扉２，３間の隙間Ｓに臨ませたことにより、導光板１０の光出射面１４から発光する帯状照明光を隣合うミラー扉２，３間の隙間Ｓを通して前方に照射できるものであり、これにより、収納空間４，５を仕切る縦板６を利用して、導光板１０をコンパクトに且つ納まりよく仕込むことができると共に、隣合うミラー扉２，３間に帯状照明光が通過し得る幅狭の隙間Ｓを確保すればよいので、従来の蛍光灯用の幅広の照明灯用スペースを設ける場合と異なり、ミラー扉２，３におけるミラー面積が大きく制約されることもない。結果、ミラー扉２，３におけるミラー面積を十分に確保しながら、帯状照明光によってミラー扉２，３の前に立った人の顔や手元部分を明るく照らすことができるものである。
【００３１】
また、ミラーキャビネット１は、上記導光板１０の光出射面１４を縦板６の前面開口部１２よりもミラー扉２，３とは干渉しない前方Ｂ位置に向かって突出配置してなるのが好ましい。この場合、ミラー扉２，３を開閉する際の導光板１０とミラー扉２，３との干渉を防止しながら、導光板１０の光出射面１４をミラー扉２，３の鏡面と面一状に配置可能となり、これにより、光出射面１４と鏡面との間が段差のない連続した外観を呈するようになり、意匠性が高められる。
【００３２】
また、ミラーキャビネット１は、上記光源１５はＬＥＤ１５ａからなるのが好ましい。この場合、蛍光灯や白熱灯等の照明灯具と比較して小型で寿命が長くしかも低電力量でミラー照明が可能となる。
【００３３】
また、ミラーキャビネット１は、上記縦板６は、断面コ字状のアルミ押出成形材であり、この縦板６の内部に導光板１０を収納してなるのが好ましい。この場合、アルミ押出成形材により導光板１０の強度を確保しながら、導光板１０を含む縦板６全体の厚みを薄く抑えることができ、さらに押出成形材をアルミのような金属製とすることで照明の放熱対策も兼ねることができる。
【００３４】
前記実施形態では、縦板６の前端面７の幅方向Ａ両側の少なくとも一方を扉受け面８（９）とし、他方を縦板６の側面部を丁番を取り付ける扉取り付け面３０（図６）としたが、縦板６の側面部の両方をそれぞれ扉取り付け面３０としたものであってもよい。つまり、扉取り付け面３０又は扉受け面８（９）の少なくとも一方が、縦板６に備わっていればよいものである。
【００３５】
前記実施形態では、縦板６をアルミ押出成形品としたが、独立した２枚の金属板の間に導光板１０を挟んで、これらを一体に組み立てることも可能である。
【００３６】
前記実施形態では、ＬＥＤ１５ａの設置場所として、導光板１０の奥側を例示したが、これ以外に、例えば導光板１０の上方側或いは下方側に設置して、ＬＥＤ１５ａの光を例えば光ファイバー束を用いて導光板１０の奥側の光入射面１３に伝送する構造も可能である。
【００３７】
また導光板１０とＬＥＤ１５ａとを別体で構成したが、導光板１０の端面にＬＥＤ１５ａを埋込状に一体形成することも可能である。
【００３８】
本発明の照明機能付き縦板６を備えるミラーキャビネット１は、洗面化粧台以外に、システムキッチン等の各種設備ユニットに広く適用可能である。
【符号の説明】
【００３９】
１  ミラーキャビネット
２  中央のミラー扉
３  両側のミラー扉
４  中央の収納空間
５  両側の収納空間
６  縦板
７  縦板の前端面
１０  導光板
１０ａ  奥側の端面
１０ｂ  前側の端面
１１  収納凹所
１２  前面開口部
１３  光入射面
１４  光出射面
１５  光源
１５ａ  ＬＥＤ
Ｂ  前方
Ｄ  縦方向
Ｒ  帯状照明光
【図１】
2014140756.tif 000003
【図２】
2014140756.tif 000004
【図３】
2014140756.tif 000005
【図４】
2014140756.tif 000006
【図５】
2014140756.tif 000007
【図６】
2014140756.tif 000008